(57)【要約】【課題】より効果的にユーザのダイエットに寄与することのできるカメラ装置を提供する。【解決手段】シャッターボタンが押下されならば、撮影処理を実行して（Ｓ１０３）、自分撮りしている撮影者自身を撮影する。撮影者自身の体脂肪率の測定を開始し（Ｓ１０４）、体脂肪率を算出する（Ｓ１０６）。撮影者自身の画像と体脂肪率とを液晶表示部に表示させる（Ｓ１０８）。【選択図】        図６
2007174137.tif 000002
【特許請求の範囲】
【請求項１】
撮影者自身を撮影する撮影手段と、
前記撮影者自身の体脂肪率を測定する測定手段と、
前記撮影手段により撮影された撮影者自身の画像と、前記測定手段により測定された撮影者自身の体脂肪率とを表示させる表示制御手段と
を備えることを特徴とするカメラ装置。
【請求項２】
前記撮影者自身の画像と体脂肪率とを記録する記録手段を更に備えることを特徴とする請求項１記載のカメラ装置。
【請求項３】
前記表示制御手段により制御されて、前記撮影者自身の画像と体脂肪率とを表示する表示手段を更に備えることを特徴とする請求項１記載のカメラ装置。
【請求項４】
前記測定手段は、複数の電極を用いて前記撮影者の体内インピーダンスを検出する検出手段と、
この検出手段により検出された前記体内インピーダンスに基づき、前記体脂肪率を算出する算出手段とを含み、
前記複数の電極の一部は、当該カメラ装置が有するシャッターボタンに設けられていることを特徴とする請求項１、２又は３記載のカメラ装置。
【請求項５】
前記撮影手段により撮影された撮影者自身の画像をシルエット画像に変換する変換手段を更に備え、
前記表示制御手段は、前記撮影者自身の画像とシルエット画像の少なくとも一方を表示させることを特徴とする請求項１記載のカメラ装置。
【請求項６】
前記変換手段は、前記撮影手段により撮影された第１の撮影者自身の画像をシルエット画像に変換するとともに、前記前記撮影手段により撮影されて記録手段に記録されている第２の撮影者自身の画像をシルエット画像に変換し、
前記表示制御手段は、前記変換手段により変換された第１及び第２のシルエット画像を表示させることを特徴とする請求項５記載のカメラ装置。
【請求項７】
前記表示制御手段は、前記第１及び第２のシルエット画像を重ねて表示させることを特徴とする請求項６記載のカメラ装置。
【請求項８】
前記第１のシルエット画像と第２のシルエット画像との変化率を算出する変化率算出手段を更に備え、
前記表示制御手段は更に、前記変化率算出手段により算出された変化率を表示させることを特徴とする請求項６又は７記載のカメラ装置。
【請求項９】
前記第１の撮影者自身の画像撮影時において測定された体脂肪率と、前記第２の撮影者自身の画像撮影時において測定された体脂肪率との変化を算出する体脂肪率変化算出手段を更に備え、
前記表示制御手段は更に、前記体脂肪率変化算出手段により算出された体脂肪率の変化を表示させることを特徴とする請求項６、７又は８記載のカメラ装置。
【発明の詳細な説明】
【技術分野】
【０００１】
本発明は、ユーザのダイエットを支援するためのカメラ装置に関する。
【背景技術】
【０００２】
従来、ユーザのダイエットに寄与するための装置として、例えば画像表示制御装置が提案されている（特許文献１参照。）。この画像制御装置は、予め記憶されているパーツパターンを組み合わせることによりモンタージュ画像を作成して表示させる。そして、ユーザが、任意のカロリーデータを入力すると、当該カロリーデータを摂取した場合の肥満した状態にモンタージュ画像に変化させる。したがって、このモンタージュ画像の肥満変化によりユーザに視覚的な刺激を与え、これにより当該ユーザのダイエットに寄与することができる。
【特許文献１】特許第３０９２３６８号公報
【発明の開示】
【発明が解決しようとする課題】
【０００３】
しかしながら、前記画像制御装置において、表示される画像は作成された模式的なモンタージュ画像であって、ユーザとは無関係な画像である。したがって、肥満して変化したモンタージュ画像をユーザが視認にしても刺激が少なく、ユーザのダイエットに効果的に寄与できるものではなかった。
【０００４】
本発明は、かかる従来の課題に鑑みてなされたものであり、より効果的にユーザのダイエットに寄与することのできるカメラ装置を提供することを目的とするものである。
【課題を解決するための手段】
【０００５】
前記課題を解決するために請求項１記載の発明に係るカメラ装置は、撮影者自身を撮影する撮影手段と、前記撮影者自身の体脂肪率を測定する測定手段と、前記撮影手段により撮影された撮影者自身の画像と、前記測定手段により測定された撮影者陣の体脂肪率とを表示させる表示制御手段とを備える。したがって、撮影後において画像と体脂肪率とを表示させることができる。このとき、表示される画像は、撮影者自身であることから、この撮影者自身の画像が撮影者自身の体脂肪率とともに表示されることにより、ユーザ（撮影者）に強い視覚的な刺激を与えることができる。
【０００６】
また、請求項２記載の発明に係るカメラ装置は、前記撮影者自身の画像と体脂肪率とを記録する記録手段を更に備える。したがって、自己の外見的な変化と体脂肪率の変化とを記録することができる。
【０００７】
また、請求項３記載の発明に係るカメラ装置は、前記表示制御手段により制御されて、前記撮影者自身の画像と体脂肪率とを表示する表示手段を更に備える。したがって、ユーザは、当該カメラ装置により撮影直後にユーザ自身の画像と体脂肪率とを視認することができ、これにより、ダイエットに効果的に視覚的な刺激を与えることができる。
【０００８】
また、請求項４記載の発明に係るカメラ装置は、前記測定手段は、複数の電極を用いて前記撮影者の体内インピーダンスを検出する検出手段と、この検出手段により検出された前記体内インピーダンスに基づき、前記体脂肪率を算出する算出手段とを含み、前記複数の電極の一部は、当該カメラ装置が有するシャッターボタンに設けられていることを特徴とする。したがって、別途体脂肪率を測定することなく、撮影と同時に体脂肪率を測定することが可能となる。
【０００９】
また、請求項５記載の発明に係るカメラ装置は、前記撮影手段により撮影された撮影者自身の画像をシルエット画像に変換する変換手段を更に備え、前記表示制御手段は、前記撮影者自身の画像とシルエット画像の少なくとも一方を表示させる。したがって、撮影者自身の画像や撮影者自身のシルエット画像により、ダイエットに効果的に視覚的な刺激を与えることができる。
【００１０】
また、請求項６記載の発明に係るカメラ装置は、前記変換手段は、前記撮影手段により撮影された第１の撮影者自身の画像をシルエット画像に変換するとともに、前記前記撮影手段により撮影されて記録手段に記録されている第２の撮影者自身の画像をシルエット画像に変換し、前記表示制御手段は、前記変換手段により変換された第１及び第２のシルエット画像を表示させる。したがって、両シルエット画像により撮影者自身の体型的な変化を明瞭に認識することができ、これによりダイエットに効果的な刺激を与えることができる。
【００１１】
また、請求項７記載の発明に係るカメラ装置は、前記表示制御手段は、前記第１及び第２のシルエット画像を重ねて表示させる。したがって、重ねて表示される第１及び第２のシルエット画像により、撮影者自身の体型的な変化をより明瞭に認識することができ。
【００１２】
また、請求項８記載の発明に係るカメラ装置は、前記第１のシルエット画像と第２のシルエット画像との変化率を算出する変化率算出手段を更に備え、前記表示制御手段は更に、前記変化率算出手段により算出された変化率を表示させる。したがって、表示される数値により、撮影者自身の体型的な変化をより客観的に認識することができる。
【００１３】
また、請求項９記載の発明に係るカメラ装置は、前記第１の撮影者自身の画像撮影時において測定された体脂肪率と、前記第２の撮影者自身の画像撮影時において測定された体脂肪率との変化を算出する体脂肪率変化算出手段を更に備え、前記表示制御手段は更に、前記体脂肪率変化算出手段により算出された体脂肪率の変化を表示させる。したがって、表示される数値により、撮影者自身の体脂肪率の変化をより客観的に認識することができ。
【発明の効果】
【００１４】
以上説明したように本発明によれば、撮影後において画像と体脂肪率とを表示させることができ、このとき、表示される画像は、撮影者自身であることから、この撮影者自身の画像が撮影者自身の体脂肪率とともに表示されることにより、ユーザ（撮影者）に強い視覚的な刺激を与えることができる。その結果、ユーザのダイエットに効果的に寄与することが可能となる。また、表示される体脂肪率により、ユーザ（撮影者）は正確かつ客観的に自己の身体状態または体型的な変化を把握することが可能となる。
【発明を実施するための最良の形態】
【００１５】
（第１の実施の形態）
以下、本発明の第１の実施の形態を図に従って説明する。図１は、各実施の形態に共通するカメラ装置１の外観を示す図であって、（Ａ）は正面図、（Ｂ）背面図である。
図示のようにカメラ装置１は、カメラ本体２の正面側に複数のレンズで構成される光学レンズ３が配置されている。また、上面には、体脂肪率の測定時に使用される電極と撮影時に操作されるシャッターボタンとを兼ねる上部電極兼シャッターボタン４が配置され、下面には体脂肪率の測定時に使用される電極である下部電極体５が配置されている。さらに、背面には、メニューキー６、カーソルキー７、セットキー８、液晶モニター・スイッチ９、液晶表示部１０が設けられている。
【００１６】
図２は、前記上部電極兼シャッターボタン４と下部電極体５の詳細を示す図である。シャッターボタン４の表面部には、電極４ａ、４ｂが配置されている。この一対の電極４ａ、４ｂは、一方の電極４ａが高周波電流出力用、他方の電極４ｂが電圧検出用であり、適宜の間隔をもって配置されることにより相互に絶縁されている。また、下部電極体５も一対の電極５ａ、５ｂで構成され、この一対の電極５ａ、５ｂも、一方の電極５ａが高周波電流出力用、他方の電極５ｂが電圧検出用であり、適宜の間隔をもって配置されることにより相互に絶縁されている。
【００１７】
図３は、カメラ装置１の電気的構成の概略を示すブロック構成図である。このカメラ装置１は、前記光学レンズ３により結像されるＣＣＤ等の撮像素子１１と、撮像素子１１を駆動するためのＴＧ１２と、撮像素子１１から出力された撮影信号を保持するＣＤＳ、その撮影信号を増幅するゲイン調整アンプ（ＡＧＣ）、増幅後の撮影信号をデジタル信号に変換するＡ／Ｄ変換器（ＡＤ）からなるユニット回路１３を有している。そして、被写体の像が光学レンズ３を介して撮像素子１１上に結像され、撮像素子１１は信号を出力する。この撮像素子１１から出力された信号は、ユニット回路１３にて、サンプリング、増幅、デジタル化され、画像処理回路／ＣＰＵ１４に送られて、この画像処理回路／ＣＰＵ１４内で輝度に変換され、輝度の積分やヒストグラム処理が行われる。
【００１８】
前記光学レンズ３は、ＡＦモータ等を備えるレンズ駆動回路１５に保持されており、レンズ駆動回路１５が画像処理回路／ＣＰＵ１４の制御により駆動されることにより光軸方向に移動し、撮像素子１１に結像される被写体像のフォーカス、及び拡大倍率を調整する。また、ＡＥ制御時には、撮像素子１１が、画像処理回路／ＣＰＵ１４から送られるシャッターパルスに基づきＴＧ１２によって駆動され、その電荷蓄積時間を制御される。これにより電子シャッターが実現される。
【００１９】
画像処理回路／ＣＰＵ１４は各種の信号処理、及び画像処理機能を備えたものであり、ユニット回路１３を経てデジタル信号に変換された撮影信号からビデオ信号を生成し、撮像素子１１によって撮影した被写体像をスルー画像としてＴＦＴ液晶モニター等からなる前記液晶表示部１０に表示させる。また、撮影時には、撮影信号を圧縮してＪＰＥＧフォーマットの画像ファイルを生成し、それを最終的にはフラッシュメモリ等からなる着脱自在な記憶メディア１６に記憶させ、再生時には圧縮した画像ファイルを伸張して液晶表示部１０に表示させる。なお、画像処理回路／ＣＰＵ１４は、現在日時を計時する時計部１７を備えており、記憶メディア１６は着脱自在である。
【００２０】
さらに、画像処理回路／ＣＰＵ１４には、前記上部電極兼シャッターボタン４、メニューキー６、カーソルキー７等からなる操作キー部１８、ＲＯＭ１９及びＲＡＭ２０が接続されている。ＲＯＭ１９は、画像処理回路／ＣＰＵ１４による各部の制御及び各種データ処理に必要な動作プログラムが記録されているとともに、後述するフローチャートに示す処理を実行するためのプログラムが記憶されている。ＲＡＭ２０は、後述する各種データ等の記憶や画像処理回路／ＣＰＵ１４のワークエリアとして使用される。
【００２１】
また、図において発振回路２１とＶ／Ｉ回路２２は高周波電流発生回路である（詳細には、２１は発振回路であり、Ｖ／Ｉ回路２２は発振回路で発振された交流電圧から高周波電流を生成する回路である）。Ｖ／Ｉ回路２２は前記高周波電流出力用電極４ａ、５ａに接続されている。また、前記電圧検出用電極４ｂ、５ｂは、フィルタを含む信号増幅器２３、進行積算器２４、Ａ／Ｄ変換器２４を介して画像処理回路／ＣＰＵ１４に接続されている。
【００２２】
図４は、ＲＡＭ２０の一部に設けられているメモリエリアの構成を示す図である。図示のように、ＲＡＭ２０には領域２０１〜２０４が設けられている。領域２０１、２０２には、撮影者が前記操作キー部１８で操作することにより予め入力された当該撮影者自身の身長、体重が格納される。領域２０３には、前記時計部１６に計時されている現在日が格納され、領域２０４には、後述する処理により測定された撮影者の体脂肪率が格納される。
【００２３】
以上の構成にかかる本実施の形態において、撮影者が自己の体脂肪率を測定する場合には、操作キー部１８での操作により体脂肪率測定モードを設定する。しかる後に、図５に示すように左手の人指し指Ｆ１を上部電極兼シャッターボタン４に接触させ、かつ、親指Ｆ１を下部電極体５に接触させて、カメラ装置１を挾持するとともに、光学レンズ３を自分に向けた所謂自分撮りの状態にする。この状態においては、人指し指Ｆ２が上部電極兼シャッターボタン４の両電極４ａ、４ｂに接触し、かつ、親指Ｆ２が下部電極体５の両電極５ａ、５ｂに接触することから、図３に示したように、高周波電流出力用電極４ａ、５ａと電圧検出用電極４ｂ、５ｂと撮影者の人体Ｂとでループを形成して導通した状態となる。
【００２４】
一方、画像処理回路／ＣＰＵ１４は前記プログラムに従って、図６に示す処理を実行する。
先ず、体脂肪率測定モードが設定されているか否かを判断し（ステップＳ１０１）、体脂肪率測定モードが設定されていない場合には、他のモード処理に移行する。体脂肪率測定モードが設定されている場合には、前記シャッターボタン４が押下されたか否かを判断する（ステップＳ１０２）。そして、シャッターボタン４が押下されならば、撮影処理を実行する（ステップＳ１０３）。すなわち、ユニット回路１３を経てデジタル信号に変換された撮影信号を圧縮してＪＰＥＧフォーマットの画像ファイルを生成し、この画像ファイルを、記憶メディア１６に保存する。したがって、前記自分撮りの状態でシャッターボタン４が押下されることにより、図７に示すように撮影者自身Ｐが撮影された画像ファイルが記憶メディア１６に保存されることとなる。
【００２５】
引き続き、体脂肪率の測定を開始する（ステップＳ１０４）。すなわち、高周波電流出力用電極４ａ、５ａと電圧検出用電極４ｂ、５ｂと撮影者の人体Ｂとでループを形成して導通した状態となっていることから、電圧検出用電極４ｂ、５ｂ間の電位を取り出し、この取り出した電圧検出用電極４ｂ、５ｂ間の電位から身体インピーダンスを求める。さらに、ＲＡＭ２０の領域２０１、２０２に格納されている身長及び体重を読み出し（ステップＳ１０５）、この読み出した撮影者自身の身長及び体重と前記身体インピーダンスとに基づき、周知の演算を行って体脂肪率を算出する（ステップＳ１０６）。次に、この算出した体脂肪率を、前記撮影処理（ステップＳ１０３）で記憶メディア１６に保存した画像ファイルと関連付けて、領域２０４に格納する（ステップＳ１０７）。
【００２６】
そして、この画像ファイルに基づく画像と前記体脂肪率とを液晶表示部１０に表示させる（ステップＳ１０８）。したがって、このステップＳ１０８での処理により液晶表示部１０には、図７に示すように、撮影者自身Ｐの画像が表示されるとともに、その一部に体脂肪率Ｄが表示されることとなる。このとき、表示される画像は、撮影者自身Ｐであることから、この撮影者自身の画像が撮影者自身Ｐの体脂肪率とともに表示されることにより、ユーザ（撮影者）に強い視覚的な刺激を与えることができる。その結果、ユーザのダイエットに効果的に寄与することが可能となる。
【００２７】
（第２の実施の形態）
図８は、本発明の第２の実施の形態における画像処理回路／ＣＰＵ１４の処理手順を示すフローチャートである。このフローチャートにおいて、ステップＳ２０１〜Ｓ２０７の処理は、前述した第１の実施の形態においける図６のステップＳ１０１〜Ｓ１０７の処理と同一である。そして、ステップＳ２０７に続くステップＳ２０８では、今回撮影した画像、つまり前記撮影処理（ステップＳ２０３）で記憶メディア１６に保存した画像ファイルの画像をシルエットに変換する（ステップＳ２０８）。つまり、前述のように、画像ファイルの画像には自分撮りにより撮影された撮影者自身が含まれていることから、この撮影者自身の輪郭を強調する輪郭強調処理を実行するとともに、輪郭以外の部分を消去し、あるいは輪郭で囲まれる部分を特定の色に着色処理することにより、シルエットに変換する。
【００２８】
さらに、前回の体脂肪率測定モードでの撮影処理で記憶メディア１６に保存した画像ファイルの画像を、同様の処理によりシルエットに変換する（ステップＳ２０９）。そして、前記ステップＳ２０８でのシルエット変換により得られた今回シルエット画像ＳＮと、ステップＳ２０９でのシルエット変換により得られた前回シルエット画像ＳＯの変化率（ＳＯ／ＳＮ）であるシルエット変化率と、体脂肪の変化（前回の体脂肪率−今回の体脂肪率）とを算出する（ステップＳ２１０）。
【００２９】
そして、液晶表示部１０に、このステップＳ２１０で算出した両算出値を表示させるとともに、前記ステップＳ２０８及びＳ２０９でシルエット変換した両シルエット画像とを重ね表示させる（ステップＳ２１１）。したがって、このステップＳ２１１での処理により液晶表示部１０には、図９に示すように、今回シルエット画像ＳＮと前回シルエット画像ＳＯとが重ねて表示されるとともに、その一部にシルエット変化率Ｄ１と体脂肪変化Ｄ２が表示されることとなる。したがって、両シルエット画像ＳＮ、ＳＯにより撮影者自身の体型的な変化を明瞭に認識することができるとともに、表示される数値Ｄ１、Ｄ２により、撮影者自身の体型的な変化をより客観的に認識することができ、これによりダイエットに効果的な刺激を与えることができる。
【００３０】
なお、本実施の形態においては、シルエットのみを表示するようにしたが、第１の実施の形態と同様に、画像ファイルに基づく画像と体脂肪率とを液晶表示部１０に表示させ（ステップＳ１０８）、このステップＳ１０８の処理を行ってから、前記ステップＳ２０８以降の処理を行うようにしてもよい。また、両シルエット画像を重ねて表示するようにしたが、重ねることなく並べて表示してもよい。また、本実施の形態においては、今回の画像と前回の画像のシルエット画像を表示するようにしたが、前回の画像のシルエット画像に限ることなく、ユーザが任意に記憶メディア１６から体脂肪率測定モードで撮影された任意の画像を選択し、この選択された画像のシルエット画像を今回の画像とともに表示するようにしてもよい。
【図面の簡単な説明】
【００３１】
【図１】本発明の一実施の形態に係るカメラ装置の外観を示す図であって、（Ａ）は正面図、（Ｂ）背面図である。
【図２】上部電極兼シャッターボタンと下部電極体の詳細を示す図である。
【図３】カメラ装置の電気的構成の概略を示すブロック構成図である。
【図４】ＲＡＭの一部に設けられているメモリエリアの構成を示す図である。
【図５】体脂肪率測定モードにおいて自分撮りする際の操作状態を示す図である。
【図６】第１の実施の形態における処理手順を示すフローチャートである。
【図７】同実施の形態における表示例を示す図である。
【図８】第２の実施の形態における処理手順を示すフローチャートである。
【図９】同実施の形態における表示例を示す図である。
【符号の説明】
【００３２】
１      カメラ装置
２      カメラ本体
３      光学レンズ
４      上部電極兼シャッターボタン
５      下部電極体
１０    液晶表示部
１１    撮像素子
１６    記憶メディア
１７    時計部
１８    操作キー部
１９    ＲＯＭ
２０    ＲＡＭ
２１    発振回路
２２    Ｖ／Ｉ回路
２３    信号増幅器
２４    進行積算器
２４    Ａ／Ｄ変換器
Ｂ      人体
Ｄ      体脂肪率
Ｐ      撮影者自身
Ｄ１    シルエット変化率
Ｄ２    体脂肪変化
ＳＮ    今回シルエット画像
ＳＯ    前回シルエット画像
【図１】
2007174137.tif 000003
【図２】
2007174137.tif 000004
【図３】
2007174137.tif 000005
【図４】
2007174137.tif 000006
【図５】
2007174137.tif 000007
【図６】
2007174137.tif 000008
【図７】
2007174137.tif 000009
【図８】
2007174137.tif 000010
【図９】
2007174137.tif 000011